【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
第１のデータボリュームと該第１のデータボリュームに対するデータアクセスリクエストを制御するように構成されている第１のストレージコントローラとを有し、関連する第１のホストから書き込みリクエストを受け取って該第１のデータボリュームに書き込みデータを記憶し、コントロールデータとジャーナルデータを含むジャーナルを生成するように構成されている第１のストレージシステムと、
ジャーナルボリュームを有し、該ジャーナルボリュームに前記第１のストレージシステムにより生成された前記ジャーナルを受信し記憶するように構成されている第２のストレージシステムと、
第２のデータボリュームを有し、前記第２のストレージシステムから前記ジャーナルを受信し、前記コントロールデータに規定された情報に従い前記第２のデータボリュームに前記ジャーナルの前記ジャーナルデータを記憶するように構成されている第３のストレージシステムと、
を備えることを特徴とするリモートコピーシステム。
【請求項２】
前記第１のストレージシステムは前記第１のホストから受信した前記書き込みリクエストに同期して前記第２のストレージシステムに前記ジャーナルを送信し、前記第２のストレージシステムは前記第１のホストから受信した前記書き込みリクエストに非同期で前記ジャーナルを前記第３のストレージシステムへ送信することを特徴とする、請求項１に記載のリモートコピーシステム。
【請求項３】
前記第２のストレージシステムは前記第３のストレージシステムとの距離に比較して前記第１のストレージシステムの近くに位置し、
前記第３のストレージシステムは前記第１のストレージシステムと前記第２のストレージシステムとの距離に比較して該第１のストレージシステムから遠くに位置していることを特徴とする、請求項１に記載のリモートコピーシステム。
【請求項４】
前記第２のストレージシステムは前記第１のストレージシステムから１００マイル以内に位置し、前記第３のストレージシステムは前記第２のストレージシステムから１００マイルを越えて位置していることを特徴とする、請求項３に記載のリモートコピーシステム。
【請求項５】
前記ジャーナルボリュームが先入れ先出しメモリーであることを特徴とする、請求項１に記載のリモートコピーシステム。
【請求項６】
前記ジャーナルボリュームがコントロールデータ領域とジャーナルデータ領域を含み、該コントロールデータ領域はコントロールデータのみを記憶する構成であり、該ジャーナルデータ領域はジャーナルデータのみを記憶する構成であることを特徴とする、請求項１に記載のリモートコピーシステム。
【請求項７】
前記第３のストレージシステムと結合される第２のホストをさらに含み、前記第３のストレージシステムは、前記第１のストレージシステムに障害が発生した場合には、プライマリストレージシステムとして機能するように構成されていることを特徴とする、請求項１に記載のリモートコピーシステム。
【請求項８】
前記第１のストレージシステムは前記第１のホストから受信した前記書き込みリクエストに同期して前記第２のストレージシステムに前記ジャーナルを送信し、
前記第２のストレージシステムは前記第１のホストから受信した前記書き込みリクエストに非同期で前記ジャーナルを前記第３のストレージシステムへ送信し、
前記第２のストレージシステムはさらに、前記第１のストレージシステムから受信した前記ジャーナルに対しシーケンス情報を付加するように構成されたシーケンス情報付加ユニットを備えることを特徴とする、請求項１に記載のリモートコピーシステム。
【請求項９】
前記シーケンス情報付加ユニットが、前記第２のストレージシステムが受信したジャーナルのコントロールデータに受信の順番に関する情報を付加するカウンターを含むことを特徴とする、請求項８に記載のリモートコピーシステム。
【請求項１０】
前記シーケンス情報付加ユニットが、さらに、前記第２のストレージシステムが受信した前記ジャーナルの前記コントロールデータに受信の時刻に関する情報を付加するタイムスタンプを含むことを特徴とする、請求項９に記載のリモートコピーシステム。
【請求項１１】
前記第２のストレージシステムに結合される第２のホストと、
前記第３のストレージシステムに結合される第３のホストと、
をさらに含み、前記第１のデータボリュームと前記第２のデータボリュームの間でデータミラーリングが保持されていることを特徴とする、請求項１に記載のリモートコピーシステム。
【請求項１２】
前記第３のストレージシステムは、前記第１のストレージシステムに障害が発生した場合には、前記第１のストレージシステムに代わってプライマリストレージシステムとして機能する構成であることを特徴とする、請求項１１に記載のリモートコピーシステム。
【請求項１３】
前記第２のストレージシステムは前記第１のデータボリュームをミラーリングするように構成された第３のデータボリュームを含み、
前記第２のストレージシステムは、前記第１のストレージシステムに障害が発生した場合には、前記第１のストレージシステムに代ってプライマリストレージシステムとして機能するように構成されていることを特徴とする、請求項１１に記載のリモートコピーシステム。
【請求項１４】
第１のホストからデータアクセスリクエストを受信する第１のストレージコントローラと、
前記第１のストレージコントローラと関連し、前記第１のストレージコントローラの制御により情報を記憶するように構成されており、プライマリボリュームを含む第１のストレージ領域と、
前記第１のストレージコントローラから少なくとも１００マイル離れて設置されている第２のストレージコントローラと、
前記第２のストレージコントローラと関連し、前記第２のストレージコントローラの制御により情報を記憶するように構成されており、セカンダリボリュームを含む第２のストレージ領域と、
から成るストレージシステムにおいて、
前記セカンダリボリュームは前記プライマリボリュームをミラーリングするためのボリュームであり、
前記第１のストレージコントローラは前記プライマリボリュームにおいて前記第１のホストからの書き込みリクエストに関連して書き込みデータを記憶し、前記書き込みリクエストに対応してコントロールデータとジャーナルデータを含むジャーナルを生成するように構成されており、前記ジャーナルデータは前記書き込みデータに対応し、前記ジャーナルは同期して前記第１のストレージ領域の外部に用意したジャーナルボリュームに送信されることを特徴とする、ストレージシステム。
【請求項１５】
プライマリストレージシステムに関連したプライマリホストからの書き込みリクエストを受信後に、該プライマリストレージシステムにおいてコントロールデータとジャーナルデータを含むジャーナルを生成するステップと、
前記プライマリストレージシステムと仲介ストレージシステムから遠く離れて位置しているセカンダリストレージシステムとの間でデータミラーリングを行うために前記ジャーナルを該仲介ストレージシステムに送信するステップと、
から成ることを特徴とするリモートコピーの方法。
【請求項１６】
前記ジャーナルを前記仲介ストレージシステムから前記セカンダリストレージシステムに送信するステップをさらに含み、
前記ジャーナルは、前記プライマリストレージシステムから前記仲介ストレージシステムには同期モードで、前記仲介ストレージシステムから前記セカンダリストレージシステムへは非同期モードで送信されることを特徴とする、請求項１５に記載の方法。
【請求項１７】
前記プライマリストレージシステムが前記仲介ストレージシステムから前記ジャーナルを受信したという受け取り通知を受け取ることにより、前記書き込みリクエストが完了したことを示すステップをさらに含み、
前記仲介ストレージシステムは前記プライマリストレージシステムから１００マイルの範囲内に位置し、前記セカンダリストレージシステムは前記プライマリストレージシステムから１００マイルを超える場所に位置していることを特徴とする、請求項１５に記載の方法。
【請求項１８】
前記仲介ストレージシステムのジャーナルボリュームに前記ジャーナルを記憶するステップをさらに含むことを特徴とする、請求項１５に記載の方法。
【請求項１９】
前記プライマリボリュームをミラーリングするために前記仲介ストレージシステムのストレージボリュームに前記ジャーナルデータを記憶するステップをさらに含むことを特徴とする、請求項１８に記載の方法。
【請求項２０】
シーケンス情報を前記ジャーナルの前記コントロールデータに付加するステップをさらに含み、前記セカンダリストレージシステムは前記コントロールデータにより提供される情報に従って前記セカンダリボリュームに前記ジャーナルデータを記憶することを特徴とする、請求項１８に記載の方法。
【請求項２１】
前記プライマリストレージシステムに障害が発生した時には、前記セカンダリストレージシステムがプライマリストレージシステムとして代行するステップをさらに含むことを特徴とする、請求項１５に記載の方法。
【請求項２２】
前記プライマリストレージシステムに障害が発生した時には、前記仲介ストレージシステムをプライマリストレージシステムとするステップをさらに含むことを特徴とする、請求項１５に記載の方法。